(57)【要約】【課題】本発明の課題は、チャンネルスキャンの回数を低減することができ、使い勝手を向上できる受信装置を提供する。【解決手段】スマートフォンは、チャンネルスキャン時に受信可能な物理チャンネルを、地域検出部５１および高さ検出部５２がチャンネルスキャン時に検出した位置を関連付けて記憶する受信可能チャネルリストメモリ部６２と、制御部７とを備えている。この制御部７は、地域検出部５１および高さ検出部５２が検出した現在の位置が、受信可能チャネルリストメモリ部６２に記憶されているチャンネルスキャン時の位置と対応しているとき、受信可能チャネルリストメモリ部６２に記憶されている物理チャンネルをリモコンチャンネルに関連付けする。【選択図】図１
2013247450.tif 000002
【特許請求の範囲】
【請求項１】
テレビ放送波を受信するためのアンテナと、
自身の高さ方向の位置を検出する高さ方向位置検出部と、
自身の水平方向の位置を検出する水平方向位置検出部と、
チャンネルスキャン時に受信可能な物理チャンネルを、上記高さ方向位置検出部および上記水平方向位置検出部がチャンネルスキャン時に検出した位置を関連付けて記憶する記憶部と、
制御部と
を備え、
上記制御部は、
上記高さ方向位置検出部および上記水平方向位置検出部が検出した現在の位置が、上記記憶部に記憶されているチャンネルスキャン時の位置と対応しているか否かを判定する位置判定部と、
上記位置判定部によって、上記高さ方向位置検出部および上記水平方向位置検出部が検出した現在の位置が、上記記憶部に記憶されているチャンネルスキャン時の位置と対応していると判定された場合、上記記憶部に記憶されている物理チャンネルをリモコンチャンネルに関連付けするリモコンチャンネル関連付け部と
を有することを特徴とする受信装置。
【請求項２】
請求項１に記載の受信装置において、
上記制御部は、物理チャンネルの受信感度を検出する受信感度検出部を有し、
上記記憶部は、チャンネルスキャン時に受信可能な物理チャンネルを、上記受信感度検出部がチャンネルスキャン時または前回受信時に検出した受信感度も関連付けて記憶し、
上記リモコンチャンネル関連付け部は、上記記憶部に記憶されている物理チャンネルを、受信感度が高いものほど小さい番号のリモコンチャンネルに関連付けすることを特徴とする受信装置。
【請求項３】
請求項２に記載の受信装置において、
上記アンテナの傾きを検出する傾き検出部を備え、
上記記憶部は、チャンネルスキャン時に受信可能な物理チャンネルを、上記傾き検出部がチャンネルスキャン時または前回受信時に検出した傾きも関連付けて記憶し、
上記制御部は、
上記傾き検出部が検出した現在の傾きが、上記記憶部に記憶されているチャンネルスキャン時または前回受信時の傾きと対応するか否かを判定する傾き判定部と、
上記傾き判定部によって、上記傾き検出部が検出した現在の傾きが、上記記憶部に記憶されているチャンネルスキャン時または前回受信時の傾きと対応しないと判定された場合、上記受信感度検出部が検出した現在の受信感度が、上記記憶部に記憶されているチャンネルスキャン時または前回受信時の受信感度よりも良好であるか否かを判定する受信感度判定部と、
上記受信感度判定部によって、上記受信感度検出部が検出した現在の受信感度が、上記記憶部に記憶されているチャンネルスキャン時または前回受信時の受信感度よりも良好でないと判定された場合、上記記憶部に記憶されているチャンネルスキャン時または前回受信時の傾きをユーザに報知する傾き報知部と
を有することを特徴とする受信装置。
【発明の詳細な説明】
【技術分野】
【０００１】
本発明は、例えば携帯電話、ノートパソコンおよびタブレット端末などの移動可能な受信装置に関する。
【背景技術】
【０００２】
従来、受信装置としては、特開２００６−２２９５３１号公報(特許文献１)に開示されたものがある。この受信装置は、基地局から送信されるテレビ放送波を受信するためのアンテナと、制御部とを備えている。このアンテナと制御部との間には、受信装置が位置する地域に関する情報を取得するための受信部を設けている。また、上記制御部は、受信装置が位置する地域が変化したと判定したときに、電子チューナで受信可能な物理チャンネルをスキャンしてメモリへ格納する。
【先行技術文献】
【特許文献】
【０００３】
【特許文献１】特開２００６−２２９５３１号公報
【発明の概要】
【発明が解決しようとする課題】
【０００４】
ところで、都市部のオフィス街などにある高層ビルの最下階では、他の建物や人などの影響でテレビ放送波の到来が悪かったり、フェージングなどの影響を受けたりすることで、本来受信可能な物理チャンネルを受信できないことがある。この場合、上記高層ビルの最下階における受信可能な物理チャンネル数は、高層ビルの最上階における受信可能な物理チャンネル数よりも少なくなる。
【０００５】
このような状況において、上記受信装置が、高層ビルの最下階から最上階に移動した場合、受信装置が位置する地域が変化したと判定されないため、制御部は、電子チューナで受信可能チャンネルをスキャンしない。その結果、上記受信可能な物理チャンネルがあるにも拘わらず、その物理チャンネルの番組を試聴できないという問題が生じてしまう。
【０００６】
この問題は、ユーザが高層ビルの最上階でチャンネルスキャンを行うことで解決できるが、このようにすると、ユーザは高層ビルの最上階に上がるたびにチャンネルスキャンを行うことになるので、使い勝手が低下してしまう。
【０００７】
そこで、本発明の課題は、チャンネルスキャンの回数を低減することができ、使い勝手を向上できる受信装置を提供することにある。
【課題を解決するための手段】
【０００８】
上記課題を解決するため、本発明の受信装置は、
テレビ放送波を受信するためのアンテナと、
自身の高さ方向の位置を検出する高さ方向位置検出部と、
自身の水平方向の位置を検出する水平方向位置検出部と、
チャンネルスキャン時に受信可能な物理チャンネルを、上記高さ方向位置検出部および上記水平方向位置検出部がチャンネルスキャン時に検出した位置を関連付けて記憶する記憶部と、
制御部と
を備え、
上記制御部は、
上記高さ方向位置検出部および上記水平方向位置検出部が検出した現在の位置が、上記記憶部に記憶されているチャンネルスキャン時の位置と対応しているか否かを判定する位置判定部と、
上記位置判定部によって、上記高さ方向位置検出部および上記水平方向位置検出部が検出した現在の位置が、上記記憶部に記憶されているチャンネルスキャン時の位置と対応していると判定された場合、上記記憶部に記憶されている物理チャンネルをリモコンチャンネルに関連付けするリモコンチャンネル関連付け部と
を有することを特徴としている。
【０００９】
ここで、「上記高さ方向位置検出部および上記水平方向位置検出部が検出した現在の位置が、上記記憶部に記憶されているチャンネルスキャン時の位置と対応している」とは、高さ方向位置検出部および水平方向位置検出部が検出した現在の位置が、記憶部に記憶されているチャンネルスキャン時の位置から予め設定された値までの範囲内に含まれることを意味する。
【００１０】
上記構成によれば、上記位置判定部によって、高さ方向位置検出部および水平方向位置検出部が検出した現在の位置が、記憶部に記憶されているチャンネルスキャン時の位置と対応していると判定された場合、リモコンチャンネル関連付け部が、記憶部に記憶されている物理チャンネルをリモコンチャンネルに関連付けするので、例えば高層ビルの最下階から最上階に移動しても、高層ビルの最上階での再チャンネルスキャンを無くすことができる。
【００１１】
したがって、上記チャンネルスキャンの回数を低減することができ、使い勝手を向上できる。
【００１２】
また、上記再チャンネルスキャンを無くすことができるので、再チャンネルスキャンに要する時間を削減できる。
【００１３】
一実施形態の受信装置は、
上記制御部は、物理チャンネルの受信感度を検出する受信感度検出部を有し、
上記記憶部は、チャンネルスキャン時に受信可能な物理チャンネルを、上記受信感度検出部がチャンネルスキャン時または前回受信時に検出した受信感度も関連付けて記憶し、
上記リモコンチャンネル関連付け部は、上記記憶部に記憶されている物理チャンネルを、受信感度が高いものほど小さい番号のリモコンチャンネルに関連付けする。
【００１４】
上記実施形態によれば、上記リモコンチャンネル関連付け部は、記憶部に記憶されている物理チャンネルを、受信感度が高いものほど小さい番号のリモコンチャンネルに関連付けするので、リモコンチャンネルの切り替えを何度も行って、受信感度が高い物理チャンネルを探さなくても、小さい番号のリモコンチャンネルを選べば、受信感度が高い物理チャンネルを選択できる。したがって、上記リモコンチャンネルの切り替えの手間を減らすことができる。
【００１５】
一実施形態の受信装置は、
上記アンテナの傾きを検出する傾き検出部を備え、
上記記憶部は、チャンネルスキャン時に受信可能な物理チャンネルを、上記傾き検出部がチャンネルスキャン時または前回受信時に検出した傾きも関連付けて記憶し、
上記制御部は、
上記傾き検出部が検出した現在の傾きが、上記記憶部に記憶されているチャンネルスキャン時または前回受信時の傾きと対応するか否かを判定する傾き判定部と、
上記傾き判定部によって、上記傾き検出部が検出した現在の傾きが、上記記憶部に記憶されているチャンネルスキャン時または前回受信時の傾きと対応しないと判定された場合、上記受信感度検出部が検出した現在の受信感度が、上記記憶部に記憶されているチャンネルスキャン時または前回受信時の受信感度よりも良好であるか否かを判定する受信感度判定部と、
上記受信感度判定部によって、上記受信感度検出部が検出した現在の受信感度が、上記記憶部に記憶されているチャンネルスキャン時または前回受信時の受信感度よりも良好でないと判定された場合、上記記憶部に記憶されているチャンネルスキャン時または前回受信時の傾きをユーザに報知する傾き報知部と
を有する。
【００１６】
ここで、「上記傾き検出部が検出した現在の傾きが、上記記憶部に記憶されているチャンネルスキャン時または前回受信時の傾きと対応する」とは、傾き検出部が検出した現在の傾きが、記憶部に記憶されているチャンネルスキャン時または前回受信時の傾きから予め設定された値までの範囲内に含まれることを意味する。
【００１７】
上記実施形態によれば、上記受信感度判定部によって、受信感度検出部が検出した現在の受信感度が、記憶部に記憶されているチャンネルスキャン時または前回受信時の受信感度よりも良好でないと判定された場合、傾き報知部が、記憶部に記憶されているチャンネルスキャン時または前回受信時の傾きをユーザに報知するので、アンテナの傾きの改善をユーザに促すことができる。
【発明の効果】
【００１８】
本発明の受信装置は、位置判定部によって、高さ方向位置検出部および水平方向位置検出部が検出した現在の位置が、記憶部に記憶されているチャンネルスキャン時の位置と対応していると判定された場合、リモコンチャンネル関連付け部が、記憶部に記憶されている物理チャンネルをリモコンチャンネルに関連付けすることによって、高さ方向に移動に起因する再チャンネルスキャンを無くすことができるので、チャンネルスキャンの回数を低減することができ、使い勝手を向上できる。
【００１９】
また、上記再チャンネルスキャンを無くすことができるので、再チャンネルスキャンに要する時間を削減できる。
【図面の簡単な説明】
【００２０】
【図１】図１は本発明の一実施形態のスマートフォンのブロック図である。
【図２】図２は上記スマートフォンのチャンネルスキャンに関する処理のフローチャートである。
【図３】図３は上記スマートフォンの地上デジタル放送の視聴に関する処理のフローチャートである。
【図４Ａ】図４Ａは上記スマートフォンの地上デジタル放送の視聴に関する処理の他のフローチャートである。
【図４Ｂ】図４Ｂは上記スマートフォンの地上デジタル放送の視聴に関する処理の他のフローチャートである。
【発明を実施するための形態】
【００２１】
以下、本発明の受信装置を図示の実施の形態により詳細に説明する。
【００２２】
図１は、本発明の一実施形態のスマートフォンの構成を示すブロック図である。
【００２３】
上記スマートフォンは、アンテナの一例としての第１アンテナ１と、地デジ部２と、表示部の一例としてのＬＣＤ(Liquid Crystal Display)３と、スピーカ４と、検出部５と、メモリ部６と、制御部７と、第２アンテナ８とを備え、地上デジタル放送を視聴できるものである。
【００２４】
上記地デジ部２は、第１アンテナ１で地上デジタル放送波を受信する地デジ受信部２１と、この地デジ受信部２１から送出された地上デジタル放送波を復調する復調回路部２２とを有している。この復調回路部２２が生成した復調信号のうち、音に関する復調信号はスピーカ４に入力され、映像に関する復調信号はＬＣＤ３に入力される。これにより、上記ＬＣＤ３は、第１アンテナ１で受信した地上デジタル放送波に対応する表示を行う一方、スピーカ４は、第１アンテナ１で受信した地上デジタル放送波に対応する音を出力することができるようになっている。
【００２５】
上記検出部５は、地域検出部５１と、高さ検出部５２と、傾き検出部５３と、ユーザの操作を検出する操作検出部５４とを有している。なお、地域検出部５１は水平方向位置検出部の一例であり、高さ検出部５２は高さ方向位置検出部の一例である。
【００２６】
上記地域検出部５１は、第２アンテナ８からのＧＰＳ(Global Positioning System)信号に基づいて、スマートフォンの緯度・経度を検出すると共に、スマートフォンがいる地域(大阪市や神戸市など)を検出する。この緯度・経度および地域を示す信号が制御部７へ送出される。
【００２７】
上記高さ検出部５２は、例えば正弦波ＦＭ単一測波帯方式の電波高度計であり、スマートフォンの高度を検出する。この高度を示す信号が制御部７に送出される。
【００２８】
上記傾き検出部５３は自重計であって、水平方向に対するスマートフォンの傾きを検出する。この傾き検出部５３が検出した傾きは、第１アンテナ１は内蔵アンテナであるので、第１アンテナ１の傾きと一致する。すなわち、上記傾き検出部５３は第１アンテナ１の傾きを検出する。この傾きを示す信号は制御部７へ送出される。
【００２９】
上記メモリ部６は、地域別チャンネルリストメモリ部６１と、受信可能チャンネルリストメモリ部６２と、ユーザが入力したチャンネルリストを記憶するユーザ入力チャンネルリストメモリ部６３と、放送事業者のデータを予め記憶させた放送事業者データメモリ部６４と、リモコンチャンネルのデータを予め記憶させたリモコンチャンネルデータメモリ部６５とを有している。この地域別チャンネルリストメモリ部６１および放送事業者データメモリ部６４としては、例えば書き換え不可能または書き換え可能な不揮発性メモリが用いられる。また、上記受信可能チャンネルリストメモリ部６２、ユーザ入力チャンネルリストメモリ部６３およびリモコンチャンネルデータメモリ部６５としては、例えば書き換え可能な不揮発性メモリが用いられる。なお、上記受信可能チャンネルリストメモリ部６２は記憶部の一例である。
【００３０】
上記地域別チャンネルリストメモリ部６１には、地域別チャンネルリストを予め記憶させている。すなわち、上記地域別チャンネルリストメモリ部６１は、少なくとも地域毎のキー局の物理チャンネルを記憶している。
【００３１】
上記受信可能チャンネルリストメモリ部６２は、チャンネルスキャン時に受信可能な物理チャンネルを、地域検出部５１がチャンネルスキャン時に検出した緯度・経度と、高さ検出部５２がチャンネルスキャン時に検出した高度とを関連付けて受信可能チャンネルリストに記憶する。また、上記チャンネルスキャン時に受信可能な物理チャンネルには、傾き検出部５３がチャンネルスキャン時または直前視聴時に検出した第１アンテナ１の傾きと、チャンネルスキャン時または直前視聴時の受信感度情報とが関連付けされる。なお、上記受信感度情報としては、例えばＣ／Ｎ(電波の搬送電波力と雑音電力との大きさの比)値、ＲＳＳＩ(Received Signal Strength Indicator)値またはＢＥＲ(ビットエラー率)値がある。
【００３２】
上記リモコンチャンネルデータメモリ部６５は、リモコンチャンネルと物理チャンネルとの対応関係を記憶するものである。
【００３３】
上記制御部７は、地デジ受信部２１、復調回路部２２、地域検出部５１、高さ検出部５２、傾き検出部５３、操作検出部５４、地域別チャンネルリストメモリ部６１、受信可能チャンネルリストメモリ部６２、ユーザ入力チャンネルリストメモリ部６３、放送事業者データメモリ部６４およびリモコンチャンネルデータメモリ部６５に接続されている。また、上記制御部７は、チャンネルスキャン時または直前視聴時に物理チャンネルの受信感度を検出する受信感度検出部７１を有している。
【００３４】
また、上記制御部７が、地域検出部５１が検出した地域と、地域別チャンネルリストメモリ部６１に記憶されたデータに基づいて、リモコンチャンネルへ物理チャンネルの割り当てを行った場合、下表１のような対応関係をリモコンチャンネルデータメモリ部６５に記憶させる。
【００３５】
【表１】
2013247450.tif 000003
【００３６】
また、上記制御部７が、受信可能チャンネルリストメモリ部６２に記憶されたデータに基づいて、リモコンチャンネルへ物理チャンネルの割り当てを行った場合、下表２に示すように、下表２のような対応関係をリモコンチャンネルデータメモリ部６５に記憶させる。また、下表２の「２１」、「２７」、「１６」、「１７」、「２０」および「２８」はキー局の物理チャンネルであるが、物理チャンネルは、受信感度が高いほど小さい番号のリモコンチャンネルに関連付けされるようになっている。なお、受信感度が高い物理チャンネルほど小さい番号のリモコンチャンネルに関連付けされる設定は、ユーザの操作で解除可能である。また、下表２は西条市におけるチャンネルスキャンによるものである。
【００３７】
【表２】
2013247450.tif 000004
【００３８】
以下、図２のフローチャートを用いて、チャンネルスキャンに関する処理について説明する。
【００３９】
ユーザがチャンネルスキャン操作を行うと、本処理がスタートし、ステップＳ１０１で、地上デジタル放送のチャンネルスキャンをする。
【００４０】
次に、ステップＳ１０２で、受信可能な物理チャンネルが有るか否かを判定する。このステップＳ１０２で、受信可能な物理チャンネルは無いと判定すると、再度、ステップＳ１０２を行う。一方、上記ステップＳ１０２で、受信可能な物理チャンネルが有ると判定すると、ステップＳ１０３に進む。すなわち、上記ステップＳ１０２は、受信可能な物理チャンネルが見つかるまで繰り返される。
【００４１】
次に、ステップＳ１０３で、地域検出部５１による緯度・経度サーチを行って、スマートフォンの緯度・経度を検出する。
【００４２】
次に、ステップＳ１０４で、高さ検出部５２による高度サーチを行って、スマートフォンの高度を検出する。
【００４３】
次に、ステップＳ１０５で、傾き検出部５３による傾きサーチを行って、水平方向に対する第１アンテナ１の傾きを検出する。
【００４４】
最後に、ステップＳ１０６で、マイチャンネル登録を行う。すなわち、上記受信可能な物理チャンネルを、上記緯度・経度、高度および傾きと関連付けて、受信可能チャンネルリストメモリ部６２に記憶させる。このとき、上記物理チャンネルの受信感度情報も、その物理チャンネルと関連付けて、受信可能チャンネルリストメモリ部６２に記憶させる。なお、上記物理チャンネルの受信感度情報はステップＳ１０２で検出されている。
【００４５】
以下、図３のフローチャートを用いて、地上デジタル放送の視聴に関する処理について説明する。
【００４６】
ユーザが地上デジタル放送の視聴操作を行うと、本処理がスタートし、ステップＳ２０１で、地デジ部２を起動する。
【００４７】
次に、位置判定部の一例としてのステップＳ２０２で、地域検出部５１による緯度・経度サーチを行って、スマートフォンの緯度・経度を検出する。
【００４８】
次に、ステップＳ２０３で、上記緯度・経度が同一付近であるか否かを判定する。より詳しくは、ステップＳ２０３において、ステップＳ２０２で検出した緯度・経度が、受信可能チャンネルリストメモリ部６２に記憶されている緯度・経度から予め設定された値までの範囲内に入るか否かを判定する。このステップＳ２０３において、ステップＳ２０２で検出した緯度・経度が、受信可能チャンネルリストメモリ部６２に記憶されている緯度・経度から予め設定された値までの範囲内に入っていないと判定すると、後述するステップＳ２１１のプリセットチャンネルの表示を行って、本処理が終了する。一方、上記ステップＳ２０３において、ステップＳ２０２で検出した緯度・経度が、受信可能チャンネルリストメモリ部６２に記憶されている緯度・経度から予め設定された値までの範囲内に入っていると判定すると、ステップＳ２０４に進む。
【００４９】
次に、ステップＳ２０４で、高さ検出部５２による高度サーチを行って、スマートフォンの高度を検出する。
【００５０】
次に、ステップＳ２０５で、上記高度が同一付近であるか否かを判定する。より詳しくは、ステップＳ２０５において、ステップＳ２０４で検出した高度が、受信可能チャンネルリストメモリ部６２に記憶されている高度から予め設定された値までの範囲内に入るか否かを判定する。このステップＳ２０５において、ステップＳ２０４で検出した高度が、受信可能チャンネルリストメモリ部６２に記憶されている高度から予め設定された値までの範囲内に入っていないと判定すると、後述するステップＳ２１１のプリセットチャンネルの表示を行って、本処理が終了する。一方、上記ステップＳ２０５において、ステップＳ２０４で検出した高度が、受信可能チャンネルリストメモリ部６２に記憶されている高度から予め設定された値までの範囲内に入っていると判定すると、ステップＳ２０６に進む。
【００５１】
最後に、リモコンチャンネル関連付け部の一例としてのステップＳ２０６で、前回チャンネルスキャンで得た関連付け・表示を行う。すなわち、上記受信可能チャンネルリストメモリ部６２に記憶されている物理チャンネルをリモコンチャンネルに関連付けして、視聴可能にする。これと共に、上記受信可能チャンネルリストメモリ部６２に記憶されている物理チャンネルに対応する放送事業者がＬＣＤ３に表示される。このとき、上記放送事業者データメモリ部６４に記憶されているデータが利用される。
【００５２】
上記ステップＳ２１１では、地域別チャンネルリストメモリ部６１に記憶されている物理チャンネルに対応する放送事業者がＬＣＤ３に表示される。なお、上記物理チャンネルは、ステップＳ２０２で検出した緯度・経度を含む地域の物理チャンネルである。また、ステップＳ２１１では、ステップＳ２０６と同様に、上記放送事業者データメモリ部６４に記憶されているデータが利用される。
【００５３】
このように、上記ステップＳ２０３において、ステップＳ２０２で検出した緯度・経度が、受信可能チャンネルリストメモリ部６２に記憶されている緯度・経度から予め設定された値までの範囲内に入ると判定され、かつ、ステップＳ２０５において、ステップＳ２０４で検出した高度が、受信可能チャンネルリストメモリ部６２に記憶されている高度から予め設定された値までの範囲内に入ると判定された場合、受信可能チャンネルリストメモリ部６２に記憶されている物理チャンネルをリモコンチャンネルに関連付けするので、例えば高層ビルの最下階から最上階に移動しても、高層ビルの最上階で再チャンネルスキャンをしなくて済む。
【００５４】
したがって、上記チャンネルスキャンの回数を低減することができ、使い勝手を向上できる。
【００５５】
また、上記再チャンネルスキャンをしないので、再チャンネルスキャンに要する時間を削減できる。
【００５６】
また、上記受信可能チャンネルリストメモリ部６２に記憶されている物理チャンネルは、受信感度が高いほど小さい番号のリモコンチャンネルに関連付けされるようになっているので、リモコンチャンネルの選択を小さい番号から大きい番号へ順に行えば、この選択の途中で視聴不可能または視聴困難な番組がでないようにすることができる。したがって、上記リモコンチャンネルの切り替えの手間を減らすことができる。
【００５７】
上記実施携帯では、第１アンテナ１は内蔵アンテナであったが、非内蔵アンテナにしてもよい。
【００５８】
上記実施形態では、高さ検出部５２は、正弦波ＦＭ単一測波帯方式の電波高度計であったが、他の方式の電波高度計であっても、気圧高度計であっても、あるいは、気圧検出計と温度計と組み合わせたものであってもよい。
【００５９】
上記実施形態では、地域検出部５１は、第２アンテナ８からのＧＰＳ信号に基づいて緯度・経度を検出していたが、第２アンテナ８からのＧＰＳ信号に基づいて緯度・経度および高度を検出するようにしてもよい。この場合、上記高さ検出部５２を無くして、製造コストを低減できる。
【００６０】
上記実施形態では、チャンネルスキャンは、受信可能な物理チャンネルが見つかるまで継続されていたが、予め設定された時間が経過すると、受信可能な物理チャンネルが見つかっていなくても終了するようにしてもよい。
【００６１】
上記実施形態において、チャネルスキャンで受信可能な物理チャンネルが見つかった場合、例えば、上記物理チャンネルが予め設定されたリモコンチャンネルの番号に対応付けされると、上記物理チャンネルの番組がＬＣＤ３に自動的に表示されるようにしてもよい。
【００６２】
上記実施形態では、ステップＳ２０６において、受信可能チャンネルリストメモリ部６２に記憶されている物理チャンネルをリモコンチャンネルに関連付けすると共に、受信可能チャンネルリストメモリ部６２に記憶されている物理チャンネルに対応する放送事業者をＬＣＤ３に表示させていたが、受信可能チャンネルリストメモリ部６２に記憶されている物理チャンネルをリモコンチャンネルに関連付けすると共に、そのリモコンチャンネルのうち予め設定された番号の番号がＬＣＤ３に表示されるようにしてもよい。
【００６３】
上記実施形態では、ユーザが地上デジタル放送視聴操作を行うと、制御部７が、図３のフローチャートの処理を行ったが、図４Ａ，図４Ｂのフローチャートの処理を行ってもよい。
【００６４】
以下、図４Ａ，図４Ｂのフローチャートの処理について説明する。
【００６５】
ユーザが地上デジタル放送視聴操作を行うと、本処理がスタートし、ステップＳ３０１で、地デジ部２を起動する。
【００６６】
次に、位置判定部の一例としてのステップＳ３０２で、地域検出部５１による緯度・経度サーチを行って、スマートフォンの緯度・経度を検出する。
【００６７】
次に、ステップＳ３０３で、上記緯度・経度が同一付近であるか否かを判定する。より詳しくは、ステップＳ３０３において、ステップＳ３０２で検出した緯度・経度が、受信可能チャンネルリストメモリ部６２に記憶されている緯度・経度から予め設定された値までの範囲内に入るか否かを判定する。このステップＳ３０３において、ステップＳ３０２で検出した緯度・経度が、受信可能チャンネルリストメモリ部６２に記憶されている緯度・経度から予め設定された値までの範囲内に入っていないと判定すると、後述するステップＳ３１１のプリセットチャンネルの表示を行って、本処理が終了する。一方、上記ステップＳ３０３において、ステップＳ３０２で検出した緯度・経度が、受信可能チャンネルリストメモリ部６２に記憶されている緯度・経度から予め設定された値までの範囲内に入っていると判定すると、ステップＳ３０４に進む。
【００６８】
次に、ステップＳ３０４で、高さ検出部５２による高度サーチを行って、スマートフォンの高度を検出する。
【００６９】
次に、ステップＳ３０５で、上記高度が同一付近であるか否かを判定する。より詳しくは、ステップＳ３０５において、ステップＳ３０４で検出した高度が、受信可能チャンネルリストメモリ部６２に記憶されている高度から予め設定された値までの範囲内に入るか否かを判定する。このステップＳ３０５において、ステップＳ３０４で検出した高度が、受信可能チャンネルリストメモリ部６２に記憶されている高度から予め設定された値までの範囲内に入っていないと判定すると、後述するステップＳ３１１のプリセットチャンネルの表示を行って、本処理が終了する。一方、上記ステップＳ３０５において、ステップＳ３０４で検出した高度が、受信可能チャンネルリストメモリ部６２に記憶されている高度から予め設定された値までの範囲内に入っていると判定すると、ステップＳ３０６に進む。
【００７０】
次に、ステップＳ３０６で、傾き検出部５３による傾きサーチを行って、第１アンテナ１の傾きを検出する。
【００７１】
次に、傾き判定部の一例としてのステップＳ３０７で、上記傾きが同一付近であるか否かを判定する。より詳しくは、ステップＳ３０７において、ステップＳ３０６で検出した傾きが、受信可能チャンネルリストメモリ部６２に記憶されている傾きから予め設定された値までの範囲内に入るか否かを判定する。このステップＳ３０５において、ステップＳ３０４で検出した傾きが、受信可能チャンネルリストメモリ部６２に記憶されている傾きから予め設定された値までの範囲内に入っていないと判定すると、後述するステップＳ３２１に進む。一方、上記ステップＳ３０７において、ステップＳ３０６で検出した傾きが、受信可能チャンネルリストメモリ部６２に記憶されている傾きから予め設定された値までの範囲内に入っていると判定すると、ステップＳ３０８に進む。なお、上記受信可能チャンネルリストメモリ部６２に記憶されている傾きは、チャンネルスキャン時または直前視聴時のものである。
【００７２】
最後に、ステップＳ３０８で、前回チャンネルスキャンで得た関連付け・表示を行う。すなわち、上記受信可能チャンネルリストメモリ部６２に記憶されている物理チャンネルをリモコンチャンネルに関連付けして、視聴可能にする。これと共に、上記受信可能チャンネルリストメモリ部６２に記憶されている物理チャンネルに対応する放送事業者がＬＣＤ３に表示される。このとき、上記放送事業者データメモリ部６４に記憶されているデータが利用される。
【００７３】
上記ステップＳ３１１では、地域別チャンネルリストメモリ部６１に記憶されている物理チャンネルに対応する放送事業者がＬＣＤ３に表示される。なお、上記物理チャンネルは、ステップＳ３０２で検出した緯度・経度を含む地域の物理チャンネルである。また、ステップＳ３１１では、ステップＳ３０８と同様に、上記放送事業者データメモリ部６４に記憶されているデータが利用される。
【００７４】
また、上記ステップＳ３２１に進んだ場合、受信感度情報サーチを行う。より詳しくは、上記受信可能チャンネルリストメモリ部６２に記憶された受信感度情報を検出する。そして、上記ステップＳ３２２において、受信可能チャンネルリストメモリ部６２に記憶されている受信感度情報よりも、ステップＳ３２１で検出された受信感度情報が良好であるか否かを判定する。このステップＳ３２２において、受信可能チャンネルリストメモリ部６２に記憶されている受信感度情報よりも、ステップＳ３２１で検出された受信感度情報が良好であると判定されると、本処理は終了する。一方、上記ステップＳ３２２において、受信可能チャンネルリストメモリ部６２に記憶されている受信感度情報よりも、ステップＳ３２１で検出された受信感度情報が良好でないと判定されると、傾き報知部の一例としてのステップＳ３３１において、受信可能チャンネルリストメモリ部６２に記憶されている受信感度情報に対応する傾きをＬＣＤ３で表示して、本処理は終了する。なお、上記受信可能チャンネルリストメモリ部６２に記憶されている受信感度情報は、チャンネルスキャン時または直前視聴時のものである。
【００７５】
このように、上記ステップＳ３２２において、受信可能チャンネルリストメモリ部６２に記憶されている受信感度情報よりも、ステップＳ３２１で検出された受信感度情報が良好でないと判定された場合、ステップＳ３３１において、受信可能チャンネルリストメモリ部６２に記憶されている受信感度情報に対応する傾きをＬＣＤ３で表示するので、第１アンテナ１の傾きの改善をユーザに促すことができる。
【００７６】
上記処理では、ステップＳ３０８において、受信可能チャンネルリストメモリ部６２に記憶されている物理チャンネルをリモコンチャンネルに関連付けすると共に、受信可能チャンネルリストメモリ部６２に記憶されている物理チャンネルに対応する放送事業者をＬＣＤ３に表示させていたが、受信可能チャンネルリストメモリ部６２に記憶されている物理チャンネルをリモコンチャンネルに関連付けすると共に、そのリモコンチャンネルのうち予め設定された番号の番号がＬＣＤ３に表示されるようにしてもよい。
【００７７】
本発明の具体的な実施形態について説明したが、この発明は上記実施形態に限定されるものではなく、上記実施形態およびその変形を適宜組み合わせて実施することができ、ＢＳ(broadcasting satellite)テレビ放送またはＣＳ(communications satellite)放送を視聴可能な受信装置にも適用できる。
【符号の説明】
【００７８】
１  第１アンテナ
２  地デジ部
５  検出部
６  メモリ部
７  制御部
５１  地域検出部
５２  高さ検出部
５３  傾き検出部
６２  受信可能チャンネルリストメモリ部
７１  受信感度検出部
【図１】
2013247450.tif 000005
【図２】
2013247450.tif 000006
【図３】
2013247450.tif 000007
【図４Ａ】
2013247450.tif 000008
【図４Ｂ】
2013247450.tif 000009